(57)【要約】  本発明は、コーマ用のサーキュラーコームとテキスタイル加工機械用の取り付け具に関する。迅速かつ正確に取り付けるために、サーキュラーコーム（１）がベースボディ（２）を有し、そのベースボディに少なくとも２つの取り付け部材（７）が固定可能であって、その場合に各取り付け部材（７）が多数の歯セグメント（１０）を有し、その歯セグメントがサーキュラーコーム（１）の中心長手軸（３）の方向に相前後して配置され、かつ互いに結合されており、その場合に取り付け部材（７）が平面的に形成された磁石（６）によって力結合でベースボディ（２）に固定可能である。【選択図】図１
2015520809.tif 000002
【特許請求の範囲】
【請求項１】
コーマ用のサーキュラーコームであって、
ベースボディ（２）を有し、
前記ベースボディに少なくとも２つの取り付け部材（７）が固定可能であって、
前記取り付け部材（７）がそれぞれ多数の歯セグメント（１０）を有しており、
前記歯セグメントがサーキュラーコーム（１）の中心長手軸（３）の方向に相前後して配置され、かつ互いに結合されているものにおいて、
前記取り付け部材（７）が、面状に形成された磁石（６）によって力結合でベースボディ（２）に固定可能である、
ことを特徴とするコーマ用のサーキュラーコーム。
【請求項２】
前記磁石（６）が、永久磁石として形成されている、ことを特徴とする請求項１に記載のサーキュラーコーム。
【請求項３】
前記磁石（６）が少なくとも部分的に、前記ベースボディ（２）の被覆面（４）上に、あるいはそれと共に固定可能である、ことを特徴とする請求項１に記載のサーキュラーコーム。
【請求項４】
前記磁石（６）が、前記ベースボディ（２）の凹部内に配置され、かつ固定されている、ことを特徴とする請求項３に記載のサーキュラーコーム。
【請求項５】
前記ベースボディの前記被覆面（４）全体が、磁石（６）として形成されている、ことを特徴とする請求項１に記載のサーキュラーコーム。
【請求項６】
前記取付部材（７）が、前記ベースボディ（２）上に実質的に前記中心長手軸（３）に沿って形状結合で位置決め可能である、ことを特徴とする請求項１から５のいずれか１項に記載のサーキュラーコーム。
【請求項７】
前記取り付け部材（７）が、前記ベースボディ（２）上に少なくとも部分的に重なり合うことができるように配置されていることを特徴とする請求項１から６のいずれか１項に記載のサーキュラーコーム。
【請求項８】
前記取り付け部材（７）が、少なくとも部分的に形状結合で前記ベースボディ（２）と結合可能である、ことを特徴とする請求項１から７のいずれか１項に記載のサーキュラーコーム。
【請求項９】
各端面（５）において、前記取り付け部材（７）と前記ベースボディ（２）の間に凹部（１７）が配置されており、
前記凹部内へ、前記取り付け部材（７）を前記ベースボディ（２）から取り外すための工具が嵌入できる、
ことを特徴とする請求項１から８のいずれか１項に記載のサーキュラーコーム。
【請求項１０】
テキスタイル加工機械内で使用するための取り付け部材であって、
それぞれ歯先（１１）と歯の基部（１２）を有する、それぞれ複数の歯（１３）を備えた多数の歯セグメント（１０）を有し、前記歯セグメント（１０）が互いに対して平行に配置され、かつ互いに結合されている、ものにおいて、
前記歯セグメント（１０）の結合が、材料結合で行われる、
ことを特徴とする取り付け部材。
【請求項１１】
前記材料結合による結合が、溶接継ぎ目（１５）によって行われる、ことを特徴とする請求項１０に記載の取り付け部材。
【請求項１２】
前記歯セグメント（１０）が少なくとも１つの溝（１４）を有し、前記溝の内部で材料結合による結合が行われる、ことを特徴とする請求項１０に記載の取り付け部材。
【請求項１３】
前記少なくとも１つの溝（１４）が、前記歯の基部（１２）の領域内に配置されている、ことを特徴とする請求項１２に記載の取り付け部材。
【請求項１４】
少なくとも１つの前記歯セグメント（１０）が、ばね（９）を有している、ことを特徴とする請求項１０に記載の取り付け部材。
【請求項１５】
前記ばね（９）が、前記歯セグメント（１０）と材料結合で結合されている、ことを特徴とする請求項１４に記載の取り付け部材。
【請求項１６】
請求項１から９のいずれか１項に記載のサーキュラーコーム（１）に使用することを特徴とする、請求項１０に記載の取り付け部材。
【発明の詳細な説明】
【技術分野】
【０００１】
本発明は、請求項１の前文に記載されたコーマ用のサーキュラーコームおよび請求稿１０に記載のテキスタイル加工機械用の取り付け具に関する。
【背景技術】
【０００２】
コーマに設けられるサーキュラーコームは、個々のコーミングセグメントからなり、それがボルトまたはばね/溝システムによってベースボディに固定されている。
コーミングセグメントは、互いに接して列をなす鋸歯打ち抜き部分を収容しており、その鋸歯打ち抜き部分は通常保持バー上に列をなして並べられている。
【０００３】
特許文献１には、サーキュラーコームが記載されており、それにおいては多数のコーミングセグメントが別々にベースボディ上に固定されている。
この従来技術によれば、個々のコーミングセグメントを交換すること、および十分な精度でベースボディ上に位置決めすることは、極めて煩雑である。
【０００４】
特許文献２は、サーキュラーコームを開示しており、それにおいて個々のコーミングセグメントは力結合でベースボディと結合されている。
コーミングセグメントをベースボディから外すために、ベースボディには別体のアンロック装置が配置されている。
この実施例においては、力は磁石によってコーミングセグメントへもたらされ、その場合に磁石は、ベースボディの溝内に配置されているバーとして形成されている。
【０００５】
この従来技術における欠点は、ベースボディとコーミングセグメントの形成が複雑なこと、コーミングセグメントの交換が煩雑であることおよびベースボディ上に位置決めする際のその精度が十分でないことである。
【先行技術文献】
【特許文献】
【０００６】
【特許文献１】欧州特許公報ＥＰ０９６９１２９Ａ２
【特許文献２】独国特許公報ＤＥ１０２００９０１８０５８Ａ１
【発明の概要】
【発明が解決しようとする課題】
【０００７】
この従来技術に基づいて、本発明の課題は、コーミングセグメントのコストパフォーマンスのよい形成およびそれを迅速かつ正確に位置決めできることを保証し、かつサーキュラーコームの構造を簡単にすることである。
【課題を解決するための手段】
【０００８】
本発明はこの課題を、請求項１と１０の特徴によって解決する。他の好ましい形態が、下位請求項によって特徴づけられている。
【０００９】
請求項１に記載の技術的教示によれば、コーマのためのサーキュラーコームはベースボディを有し、そのベースボディに少なくとも２つの取り付け部材が固定可能であって、その場合に各取り付け部材が多数の歯セグメントを有し、その歯セグメントがサーキュラーコームの中心長手軸の方向に相前後して配置され、かつ互いに結合されている。
従来技術とは異なり、取り付け部材は平面的に形成された磁石によって力結合でベースボディに固定可能である。
それによってベースボディに磁石をより確実かつ正確に固定することが可能になるので、螺合を緩めることなしに取り付け部材の交換が可能である。
従来技術とは異なり、磁石は平面的に形成されており、それによって、バーとして形成され、かつ１つの領域内でのみ取り付け部材をベースボディに固定する、単独の磁石によるよりも、より高い保持力を発生させることができる。
平面的に形成された磁石というのは、個々のバーからなる、並べて配置された複数の磁石であってもよい。
重要なことは、取り付け部材に作用する力が、磁石の大きな面によってもたらされることである。
【００１０】
好ましい実施形態において、磁石は、永続的な磁力を取り付け部材へもたらす、永久磁石として形成されている。
【００１１】
その場合に磁石は、少なくとも部分的にベースボディの被覆面上に、あるいはそれと共に固定することができる。
一部はそれ以上の加工が困難である、磁石の製造方法にそれぞれ従って、様々な磁気的な作用物質と幾何学配置が、例えば、平面的な磁石をベースボディと接着することによって、ベースボディに固定される。
【００１２】
さらに、例えば、多数の個別磁石をベースボディと螺合し、挟持し、あるいは圧接することによって、平面的に形成された磁石は、ベースボディの凹部内に配置して固定することができる。
【００１３】
好ましい実施形態においては、例えば、ベースボディ上に鋳造形成することによって磁石の一体的な結合が行われることにより、ベースボディの被覆面全体を磁石として形成することができる。
【００１４】
好ましくは、取り付け部材は実質的に中心長手軸に沿って形状結合で位置決め可能にベースボディ上に配置することができる。
例えば、ばねと溝による、形状結合は、ベースボディ上で取り付け部材の正確な方向付けを可能にする。
さらにこの形状結合は、ベースボディ上で取り付け部材が周方向にずれることが阻止され、それによって剪断力に基づくピーリング作用に拮抗作用する、という利点を有している。
【００１５】
力のピークに基づいて磁気的な結合が外れることを阻止するために、取り付け部材は少なくとも部分的に重なることができるようにベースボディ上に配置されている。
その場合にそれぞれ２つの隣接する取り付け部材が端面の領域内で、傾きまたは持ち上がりが阻止されるように、重なり合う。
【００１６】
他の好ましい実施形態においては、取り付け部材は少なくとも部分的に形状結合でベースボディと結合することができる。
それによってまた、取り付け部材に作用する力のピークがベースボディから取り付け部材を外れないことを、保証することができる。
少なくとも時々磁気的な力が減少し、あるいは無効にされる場合については、取り付け部材とべースボディの間の形状結合が、取り付け部材の完全な外れを阻止する。
【００１７】
さらに、各取り付け部材とベースボディの間に凹部を配置することができ、各端面からその凹部内へ取り付け部材を外すための工具を挿入することができる。
これは、ねじ回しによって、あるいは磁石の力に抗してベースボディから取り付け部材を外す、特別に形成されたレバーによって、行うことができる。
【００１８】
請求項１０によれば、課題は、それぞれ歯先と歯の基部を有する、それぞれ複数の歯を備えた多数の歯セグメントを有し、その場合に歯セグメントが互いに対して平行に配置され、かつ互いに結合されている、テキスタイル加工機械内で使用するための取り付け部材によって解決される。
本発明によれば、歯セグメントはバー上で列をなして互いに結合されているのではなく、互いに材料結合で結合されており、それによって歯セグメントは互いに対して完全に遊びを持たない。例えば、レーザー溶接または保護ガス溶接による、材料による結合は、取り付け部材のほぼ自動的な形成を可能にする。
取り付け部材は、コーマにおいてだけでなく、混打綿機内でも、梳綿機またはカードでも、使用することができる。
したがって以下のサーキュラーコームの実施例は、請求項１０の保護範囲をコーミング方法に限定するものではない。
【００１９】
第１の好ましい実施形態において、歯セグメントは少なくとも１つの溝を有しており、歯セグメントを互いに結合するためにその溝内へ少なくとも１つの溶接継ぎ目が挿入される。
溝によって、歯セグメントの外側の輪郭は変化しない。同時にこの溶接継ぎ目は、平面的に塗布されて、後に一部を削り落とされる溶接継ぎ目よりも、高い耐久限度を有している。
【００２０】
少なくとも１つの溝は、好ましい形態においては歯の基部の領域内に配置されているので、溶接継ぎ目の熱は歯セグメントの、特に歯先の硬化ないし熱処理に影響を持たず、あるいは無視できる影響しか持たない。
【００２１】
第２の好ましい実施形態において、少なくとも１つの歯セグメントがばねを有している。
ばねは歯の基部に配置されているので、ばねは、サーキュラーコームのベースボディの溝内へ嵌入して、それによってベースボディ上で取り付け部材を位置決めすることを可能にする。
ばねは、材料結合で、したがって、例えば、溶接方法によって歯セグメントと結合することができる。
さらに、各歯セグメントがばねを有している場合に、溶接継ぎ目はばねを有する歯セグメントに、同時に歯セグメントが材料結合によって互いに結合されるように、設けることができる。
その場合に溶接継ぎ目は、ばねと歯セグメントとの間にレーザー溶接または誘導溶接として、あるいは両側で外側から隅肉継ぎ目として、配置することができる。
【００２２】
本発明の特徴によって、ベースボディと取り付け部材を極めてコストパフォーマンス良く、複雑な螺合なしで、形成することが可能である。
同時に、取り付け部材の交換は、極めて迅速かつ正確に行うことができる。
【００２３】
以下、図式的に示す可能な実施例を用いて、本発明を詳細に説明する。
【図面の簡単な説明】
【００２４】
【図１】第１の実施例におけるサーキュラーコームの一部を示す斜視図である。
【図２】図１に示すサーキュラーコームを示す側面図である。
【図３】本発明の実施例において、サーキュラーコームの前側を拡大して示している。
【図４】本発明の他の実施例において、サーキュラーコームの前側を拡大して示している。
【図５】本発明の第４の実施例において、サーキュラーコームの前側を拡大して示している。
【図６】図６ａは、歯セグメントの側方の表示であり、図６ｂは歯セグメントの他の側方の表示である。
【図７】図７ａは、溶接前の複数のセグメントのプロフィールを示しており、図７ｂは、溶接後の複数のセグメントのプロフィールを示している。
【発明を実施するための形態】
【００２５】
図１、図２には、サーキュラーコーム１の一部が示されており、そのサーキュラーコームは実質的に円筒状のベースボディ２を有し、そのベースボディが中心長手軸３に沿って延びている。
この実施例において、ベースボディ２は中空円筒状の構成部分として形成されており、その構成部分を図示されない駆動軸上に取り付けることができる。
もちろん、ベースボディ２と駆動軸は一体的に形成することもできる。
ベースボディ２は、径方向の延びにおいては被覆面４によって画成されており、軸方向の延びにおいて、したがって中心長手軸３に沿っては、２つの端面５によって画成されるが、この表示においてはその端面のうちの１つしか見えない。
ベースボディ２には、少なくとも２つの取り付け部材７が固定されており、それらが被覆面４全体を覆っている。
この実施例において、ベースボディ２の図示されている部分上には、３つの取り付け部材７が配置されている。
取り付け部材７の数は、特に、サーキュラーコーム１の外径と取り付け部材７上に配置されている歯セグメント１０とに依存することができ、例えば、２、４、６または８とすることができる。もちろん奇数の取り付け部材７も可能である。
【００２６】
取り付け部材７は、多数の歯セグメント１０からなり、それら歯セグメントが相前後して配置され、かつ互いに結合されている。
各歯セグメント１０は、歯先１１と歯の基部１２を有する打ち抜かれた鋸歯ワイヤ片から形成され得る。
【００２７】
ベースボディ２に取り付け部材７を固定することは、磁石６の力によって力結合で行われ、その磁石は永久磁石として形成されている。
磁石６は、少なくとも部分的に、ベースボディの被覆面４上に、あるいはそれと共に配置され、かつ固定されている。
これは、例えば、平面的に形成された磁石６がベースボディ２の凹部内へ挿入されて、ベースボディ２と圧接され、挟持され、あるいは螺合されるように、行うことができる。
以下においては、ベースボディ２の被覆面４と磁石６の外側面は同じものとする。
【００２８】
好ましい実施形態において、磁石６は、例えば、スリーブとしてベースボディ２上に引きかぶせられ、ないしは収縮嵌めされることによって、ベースボディ２の被覆面４全体を形成を形成する。
この実施形態においては、特にプラスチック内に結合された磁石６を使用することができる。
代替的に、磁石６は、ベースボディ２上に部分的に接着することもできる。
それぞれ使用される磁石合金に従って、例えば、表面コーティング、溶接またはベースボディ２上に鋳造することによって、ベースボディ２との一体的な結合も可能である。
特に磁石６をベースボディ２と一体的に結合することは、作用する遠心力に基づいて毎分５００回転以上のサーキュラーコーム１の高い回転数において効果的であり得る。
【００２９】
磁石６としては、好ましくは、例えば、ネオジム−鉄−ホウ素−合金を有する、あるいは、サマリウム−コバルト−合金からなる磁石のような、高い保磁場強さを有する永久磁石が用いられ、それにおいては摂氏５０°を上回る駆動温度において消磁の危険が少ない。
【００３０】
ベースボディ２上に取り付け部材７を配置することは、図３によれば、歯セグメント１０の歯１３がサーキュラーコーム１の回転方向Ｒを指し、それに伴って梳くべき繊維とは逆向きになるように、行われる。
取り付け部材７の凹状の下側と極めて正確に対応しなければならない、ベースボディ２の円筒状の輪郭に基づいて、取り付け部材７を取り付けて中心長手軸３に対して平行に方向付けする場合に、所定の形状結合が与えられる。
磁石６上の被覆面４の周面上でも取り付け部材７を正確に位置決めするために、被覆面４内に溝８を配置することができ、その溝内へ、取り付け部材７の下側１６に配置された、関連するばね９が嵌入する。
溝８とばね９の輪郭は、矩形または傾斜した面をもって、例えば、三角形または円錐形の断面に形成することができる。
図３の実施例において、左の取り付け部材７には矩形の横断面を有する溝８とばね９が形成されており、右の取り付け部材７には、円錐形の断面を有するものが形成されている。
溝８とばね９は、被覆面４全体に沿って、従って中心長手軸３に対して平行に、一貫して、あるいは部分的にだけ延びることができ、その場合に長手方向の最小の延びにおいては、ばね９は少なくとも１つの円筒状のピンとして形成することができ、そのピンが関連する孔内へ嵌入する。
図３の実施例においては、磁気的な層は薄く、ないしは磁石６の厚みが小さく示されているので、溝８または孔は磁気的な層を貫通して、ベースボディ２内へ少なくとも部分的に進入している。
溝８は、ベースボディ２内へ０．５から５ｍｍの深さで進入することができる。
【００３１】
ベースボディ２の周方向における、溝８とばね９とによる取り付け部材７とベースボディ２の間の形状結合の過小評価すべきでない効果は、それによって磁気的な付着のピーリング作用とそれに伴ってベースボディ２上で取り付け部材７がずれることに拮抗作用することである。
個々の取り付け部材７に作用する遠心力に、周方向において歯１３へ接線状に作用するコーミング力が重畳される。
回転数が極めて高い場合には、もたらされる磁気的な力が減少するので、それによってピーリグ作用を阻止することができるが、そうでないとそのピーリング作用はベースボディ上の取り付け部材７のずれをもたらすだけでなく、例えば、梳くべき繊維内の肥厚によってもたらされる、歯１３に作用する好ましくない力のピークと結びついて、取り付け部材７の傾きをもたらすことがあり、それによって磁石６と取り付け部材７の間の間隔の増大に基づいて磁気的な力が急激に低下してしまう。
【００３２】
取り付け部材７のまさにこの傾きを阻止するために、取り付け部材７は、部分的に重ねることができる。
図４に示す実施例において、ベースボディ２上に左と右の取り付け部材７が配置されている。
各取り付け部材７は、中心長手軸３に対して平行に延びる２つの対向する端面の領域に突出部７ａと切り欠き７ｂを有しており、それらはこの実施例においては著しく拡大して示されている。
製造技術的に、突出部７ａと切り欠き７ｂは、研磨方法によって形成することができる。
切り欠き７ｂは取り付け部材７の、傾斜した歯１３の方向に位置する、従ってサーキュラーコーム１の回転方向Ｒにおいて歯１３が最初に繊維内へ進入する箇所に、配置されている。
突出部７ａは取り付け部材７の、対向する前側に、したがって傾斜した歯１３の方向とは逆に、配置されている。
図４に記載の実施例に示すように、回転方向Ｒにおいて右の取り付け部材７の突出部７ａが、後続の、あるいは左の取り付け部材７の切り欠き７ｂの領域と重なる。
左の取り付け部材７の歯が繊維と係合しており、先行する取り付け部材７上にはコーミング力がもはや作用しないと仮定して、右の取り付け部材７の磁気的な力が左の取り付け部材７の持ち上がりまたは傾きを阻止する。
【００３３】
図５に示す他の実施形態において、取り付け部材７はベースボディ２と相補形状で結合することもできる。
この実施例において、取り付け部材７の一部が、ベースボディ２内へ進入している。同時に、右の取り付け部材７によって突出部７ａによる重なりを行うこともできる。
【００３４】
取付部材７を取り外すために、片方または両方の端面５の領域内内で、取り付け部材７内またはベースボディ２内に凹部１７が形成されており、取り付け部材７を取り外すために工具がその凹部内へ嵌入して、梃子の力を発生させることができる。
この実施例において、凹部１７は取り付け部材７の前側の領域内に配置されており、その領域に突出部７ａも配置されている。
【００３５】
図６ａ〜７ｂを参照すると、各取り付け部材７は多数の歯セグメント１０からなり、それらが中心長手軸３の方向に相前後して列をなしている。
各歯セグメント１０は、それぞれ歯先１１と歯の基部１２とを有する複数の歯１３からなる。歯先１１は、サーキュラーコームの回転方向において梳くべき繊維へ向けられている。
図６ａの実施例によれば、歯の基部１２の領域において、各歯セグメント１０に少なくとも１つの溝１４ないし凹部が形成されており、それが溶接継ぎ目１５を収容するために用いられる。
したがって取り付け部材７は、互いに列をなして接し、かつ互いに溶接された多数の歯セグメント１０を有しており、その場合に溶接継ぎ目１５は中心長手軸３に対して平行に配置されている。
この実施例においては、２つの互いに対して離隔して配置された溝１４が配置されているので、歯セグメント１０は溶接後は、もはや中心長手軸３の方向に互いに対して引っ張ったり、ひねったりすることはできない。
２つまたはそれ以上の互いに離隔した溝１４の代わりに、面にわたって溶接を行うこともできる。
【００３６】
図６ｂに示す他の実施例において、少なくとも１つの歯セグメント１０が別体の、あるいは一体的なばね９を有している。
ばね９は歯の基部１２に、したがって下側１６に配置されているので、ばね９は、サーキュラーコーム１のベースボディ２の溝８内へ嵌入して（図３）、それによってベースボディ２上で取り付け部材７の位置決めを可能にする。
別体の構成部分としてのばね９は、材料結合で、したがって、例えば、溶接方法によって、歯セグメント１０と結合することができる。
さらに、各歯セグメント１０がばね９を有している場合には、溶接継ぎ目１５は、同時に歯セグメント１０が材料結合で互いに結合されるようにして、ばね９を有する歯セグメント１０に設けることができる。
その場合にレーザー溶接または誘導溶接としての溶接継ぎ目１５は、ばね９と歯接１０の間に配置することができ、あるいは両側の外側から隅肉継ぎ目として形成することができる。
【００３７】
図７ａには、複数の歯セグメント１０が互いに並べてプロフィールで示されており、その場合に歯セグメント１０の互いに対する方向付けは、平行ではなく、予め定められた角度αで行われる。
歯の基部１２は、もっとも下の点においてだけ接触しており、歯先１１へ向かって互いに離れる。
歯セグメント１０の下側に溶接継ぎ目１５が設けられることにより、歯セグメント１０が互いに溶接される間、ないしはその後に、歯セグメント１０は溶接継ぎ目１５内に滞留することによって互いに対して整合するので（図７ｂ）、その後は互いに対して平行に配置されて、歯の基部１２の領域内で全面的に接触する。
溶接後に０°となる、角度αは、特に溶接方法と溶接継ぎ目１５の大きさに依存し、前もって取り付ける際に各取り付け部材７のために調節することができる。
正しい角度αの調節は、図示されない装置内の中間片によって行うことができ、その中間片は歯先１１の間に配置される。
この図示されない装置は、湾曲した表面を有することができ、その表面上に歯セグメント１０がその下側１６をもって相前後して配置される。
表面の湾曲は、角度αおよび溶接継ぎ目１５の予測される滞留に関連する。
溶接方法として、特に保護ガス溶接またはレーザー溶接を使用することができ、それが特に自動化された形成を可能にする。
【００３８】
溶接し、かつ、場合によっては、取り付け部材７をさらに熱処理した後に、取り付け部材７の下側１６が過回転および／または研磨されて、ベースボディ２の被覆面４に正確に適合される。
特に各歯１３の下側１６から尖端までの取り付け部材７の高さは、正確に調節することができるので、取り付け部材７の迅速な交換によって、サーキュラーコーム１を迅速に整備することができる。
並べて列に配置されて、溶接された歯セグメント１０は、バーの上に列をなして並べられた歯セグメントに比較して、歯セグメント１０が互いに対して遊びなしに結合されている、という利点を提供する。
バーの上に列をなして並べられた歯セグメントにおいては、取り付け後も歯セグメント内の孔とバーとの間に遊びが存在するので、歯１３の尖端からサーキュラーコーム１の被覆面４までの間隔が、小さい領域内で変化することがあり得る。
【００３９】
本発明によれば、取り付け部材７の効率的かつコストパフォーマンスのよい形成が可能である。
さらに、本発明は、ベース部材２上に取り付け部材７を簡単に取り付けることを可能にするので、磨耗した取り付け部材７の迅速かつ正確な交換が保証されている。
【符号の説明】
【００４０】
１    サーキュラーコーム
２    ベースボディ
３    中心長手軸
４    被覆面
５    端面
６    磁石
７    取り付け部材
７ａ    突出部
７ｂ    切り欠き
８    溝
９    ばね
１０    歯セグメント
１１    歯先
１２    歯の基部
１３    歯
１４    溝
１５    溶接継ぎ目
１６    下側
１７    凹部
α    角度
Ｒ    回転方向
【図１】
2015520809.tif 000003
【図２】
2015520809.tif 000004
【図３】
2015520809.tif 000005
【図４】
2015520809.tif 000006
【図５】
2015520809.tif 000007
【図６ａ】
2015520809.tif 000008
【図６ｂ】
2015520809.tif 000009
【図７ａ】
2015520809.tif 000010
【図７ｂ】
2015520809.tif 000011
【国際調査報告】
2015520809.tif 000012
2015520809.tif 000013
2015520809.tif 000014
2015520809.tif 000015
2015520809.tif 000016
2015520809.tif 000017
2015520809.tif 000018
2015520809.tif 000019
2015520809.tif 000020
2015520809.tif 000021